(57)【要約】【課題】移動対象となる画像が多くなってもコストを抑えることが可能な車両用表示装置を提供する。【解決手段】画像表示装置１０と、この画像表示装置１０に車両からの入力情報に基づいて複数の情報画像１０１〜１０６を表示させる制御手段２０とを備え、制御手段２０は画像表示装置１０の画面背景上に表示されている情報画像１０１〜１０６のうち所定の情報画像１０６を所定方向に移動する動画として表示させる際に、所定の情報画像１０６を、色／輝度コントラストが移動方向に従って変化する掃引画像１１１Ｒ，１１１Ａ，１１１Ｂに置き換えて表示する。掃引画像１１１Ｒ，１１１Ａ，１１１Ｂは、情報画像１０６（情報画像データ１０６ｄ）のグループＧ１〜Ｇ３に応じて選択される。【選択図】図２
2012001029.tif 000002
【特許請求の範囲】
【請求項１】
画像表示装置と、この画像表示装置に車両からの入力情報に基づいて複数の情報画像を表示させる制御手段とを備え、前記制御手段は前記画像表示装置の画面背景上に表示されている前記情報画像のうち所定の情報画像を所定方向に移動する動画として表示させる際に、前記所定の情報画像を色／輝度コントラストが移動方向に従って変化する掃引画像に置き換えて表示する車両用表示装置において、前記所定の情報画像が前記入力情報に応じて異なる表示形態を有する複数の情報画像データとして、前記掃引画像が異なる表示形態を有する複数の掃引画像データとして、それぞれ画像記憶手段に記憶され、前記制御手段は少なくとも二つにグループ分けされた前記情報画像データ群の中から前記入力情報に応じて表示すべき前記情報画像データを選択して前記画像表示装置に表示させると共に、選択表示された前記情報画像データを所定方向に移動する動画として表示させる際に、前記複数の掃引画像データの中から前記グループ毎に割り当てられた前記掃引画像データを選択し、前記画像表示装置に表示させることを特徴とする車両用表示装置。
【請求項２】
前記複数の情報画像データが色に応じてグループ化され、前記掃引画像は前記グループに応じて色が異なることを特徴とする請求項２記載の車両用表示装置。
【請求項３】
前記所定の情報画像に関連する関連情報を表示する他の表示装置を前記画像表示装置に隣接配置し、前記掃引画像は前記所定の情報画像と前記関連情報との間を移動することを特徴とする請求項１記載の車両用表示装置。
【請求項４】
前記掃引画像の色が前記関連情報の色に対応することを特徴とする請求項４記載の車両用表示装置。
【発明の詳細な説明】
【技術分野】
【０００１】
本発明は、車両情報を表示する車両用表示装置に関するものである。
【背景技術】
【０００２】
この種の車両用表示装置として例えば下記特許文献１に記載されたものが知られている。この車両用表示装置は、液晶パネル等からなる画像表示装置と、この画像表示装置に各種情報画像を表示させるマイクロコンピュータや描画処理手段（描画ＬＳＩや画像メモリ等の画像記憶手段）を含む制御手段とを備えている。
【０００３】
この場合、各種情報画像は、車速やパワーメータを指針式にて表示する複数の指針式計器画像と、車載カメラ（暗視カメラ）の撮像画像とを含み、撮像画像を表示しない第１のモードでは、指針式計器画像を表示し、撮像画像を表示する第２のモードでは、指針式計器画像を消去した後、撮像画像を表示するようにしている。第１のモードから第２のモードに切り替える際には、指針式計器画像を掃引形態を伴う動画（アニメーション）に置き換えて縮小移動させた後、消去するようにしている。
【先行技術文献】
【特許文献】
【０００４】
【特許文献１】特開２００９−０７３４３１号公報（図８〜図１０）
【発明の概要】
【発明が解決しようとする課題】
【０００５】
ところで、特許文献１に記載の車両用表示装置は、モード切替時に指針式計器画像を掃引画像に置き換えて移動しているが、移動対象となる画像が多くなると、移動対象となる画像毎に掃引画像（データ）を用意しなくてはならず、記憶容量の大きい画像記憶手段が必要となり、コスト上昇を招くといった問題があった。
【０００６】
そこで、本発明は前述した問題点に着目し、移動対象となる画像が多くなってもコストを抑えることが可能な車両用表示装置を提供することを目的とする。
【課題を解決するための手段】
【０００７】
本発明は、画像表示装置と、この画像表示装置に車両からの入力情報に基づいて複数の情報画像を表示させる制御手段とを備え、前記制御手段は前記画像表示装置の画面背景上に表示されている前記情報画像のうち所定の情報画像を所定方向に移動する動画として表示させる際に、前記所定の情報画像を色／輝度コントラストが移動方向に従って変化する掃引画像に置き換えて表示する車両用表示装置において、前記所定の情報画像が前記入力情報に応じて異なる表示形態を有する複数の情報画像データとして、前記掃引画像が異なる表示形態を有する複数の掃引画像データとして、それぞれ画像記憶手段に記憶され、前記制御手段は少なくとも二つにグループ分けされた前記情報画像データ群の中から前記入力情報に応じて表示すべき前記情報画像データを選択して前記画像表示装置に表示させると共に、選択表示された前記情報画像データを所定方向に移動する動画として表示させる際に、前記複数の掃引画像データの中から前記グループ毎に割り当てられた前記掃引画像データを選択し、前記画像表示装置に表示させることを特徴とする。
このように複数の情報画像（データ）を少なくとも二つにグループ化すると共に各グループに応じて異なる掃引画像データを割り当てることにより、同グループに属する情報画像データを移動させる場合には、そのグループに割り当てられた共通の掃引画像を表示させ、異なるグループに属する情報画像データを移動させる場合には、グループ単位で異なるように割り当てられた掃引画像を表示させることができ、これにより移動対象となる画像が多くなっても画像記憶手段に記憶させておく掃引画像データの種類を削減することができる。
【０００８】
また本発明は、前記複数の情報画像データが色に応じてグループ化され、前記掃引画像は前記グループに応じて色が異なることを特徴とする。
このように情報画像データが色のと掃引画像の色を関連付けることにより、情報画像の移動を分かりやすく示すことができる。
【０００９】
また本発明は、前記所定の情報画像に関連する関連情報を表示する他の表示装置を前記画像表示装置に隣接配置し、前記掃引画像は前記所定の情報画像と前記関連情報との間を移動することを特徴とする。
このように他の表示装置が画像表示装置に隣接配置される場合は、他の表示装置と画像表示装置との間で掃引画像を表示してもよい。
【００１０】
また本発明は、掃引画像の色が前記関連情報の色に対応することを特徴とする。
このように掃引画像の色と関連情報の色を対応させることにより、情報画像の移動の認識性を高めることができる。
【発明の効果】
【００１１】
本発明によれば、コストを抑えつつも所定の情報画像の動画による移動表示を違和感なく行うことができる車両用表示装置を提供することができる。
【図面の簡単な説明】
【００１２】
【図１】本発明の第１の実施形態による車両用表示装置のシステム構成を示すブロック図。
【図２】同実施形態における画像表示装置の表示画面を示す正面図。
【図３】同実施形態における画像表示装置の表示画面の推移を示す正面図。
【図４】同実施形態における画像表示装置の表示画面の推移を示す正面図。
【図５】同実施形態における画像表示装置の表示画面の推移を示す正面図。
【図６】同実施形態における画像表示装置の表示画面の推移を示す正面図。
【図７】同実施形態における画像表示装置の表示画面の推移を示す正面図。
【図８】同実施形態における画像表示装置の表示画面の推移を示す正面図。
【図９】同実施形態における画像表示装置の表示画面の推移を示す正面図。
【図１０】同実施形態における画像表示装置の表示画面の推移を示す正面図。
【図１１】同実施形態における画像表示装置の表示画面の推移を示す正面図。
【図１２】同実施形態における画像表示装置の表示画面の推移を示す正面図。
【図１３】同実施形態における第６の情報画像と掃引画像の対応関係を示す図。
【図１４】本発明の第２の実施形態における画像表示装置の表示画面を示す正面図。
【図１５】同実施形態における画像表示装置の表示画面の推移を示す正面図。
【図１６】同実施形態における画像表示装置の表示画面の推移を示す正面図。
【図１７】同実施形態における画像表示装置の表示画面の推移を示す正面図。
【図１８】同実施形態における画像表示装置の表示画面の推移を示す正面図。
【図１９】同実施形態における画像表示装置の表示画面の推移を示す正面図。
【図２０】同実施形態における画像表示装置の表示画面の推移を示す正面図。
【図２１】同実施形態における画像表示装置の表示画面の推移を示す正面図。
【図２２】本発明の第３の実施形態における車両用表示装置の正面図。
【図２３】同実施形態による画像表示装置と他の表示装置の表示情報の推移を示す正面図。
【図２４】同実施形態による画像表示装置と他の表示装置の表示情報の推移を示す正面図。
【図２５】同実施形態による画像表示装置と他の表示装置の表示情報の推移を示す正面図。
【図２６】同実施形態による画像表示装置と他の表示装置の表示情報の推移を示す正面図。
【図２７】同実施形態による画像表示装置と他の表示装置の表示情報の推移を示す正面図。
【図２８】同実施形態による画像表示装置と他の表示装置の表示情報の推移を示す正面図。
【図２９】同実施形態による画像表示装置と他の表示装置の表示情報の推移を示す正面図。
【発明を実施するための形態】
【００１３】
＜第１の実施形態＞
本発明の第１の実施形態による車両用表示装置は、例えば車両用計器として車両に搭載されるものであり、図１において、本実施形態による車両用表示装置は、画像表示装置１０と、この画像表示装置１０に車両情報からなる情報画像を表示させる制御手段２０とを備えている。
【００１４】
画像表示装置１０は、例えばＴＦＴ（薄膜トランジスタ）型液晶パネルと、この液晶パネルを照明するバックライトとからなるが、制御手段２０による制御のもと、車両情報を画像として表示させることができれば、ＥＬ（エレクトロルミネッセンス）パネルや蛍光表示管等の任意の表示パネルを用いることができる。
【００１５】
制御手段２０は、例えばマイクロコンピュータからなる制御部２１と、描画処理手段２２と、画像記憶手段２３とから構成されている。
【００１６】
制御部２１は、後述する入力情報に基づいて画像表示装置１０の動作を制御するもので、画像表示装置１０を動作させるための各種処理を実行するＣＰＵ（中央処理装置）、前記ＣＰＵの処理に必要なプログラムやデータを記憶するＲＯＭ（読み出し専用メモリ）、前記ＣＰＵの処理に必要なデータを一時記憶するＲＡＭ（読み書き両用メモリ）の他、フラッシュメモリや入出力インターフェイス等を備えている。
【００１７】
また制御部２１は、例えばＣＡＮ（Controller Area Network）通信線に接続される端子２１ａを有し、この端子２１ａを通じて入力情報（車両情報）として例えば車載ＥＣＵ（Electronic Control Unit）から車速情報、エンジン回転数情報、燃料残量情報、エンジン冷却水温情報、走行距離情報、状態検出情報を入力する。これらの情報は、制御部２１によって演算処理され、この演算処理結果に見合った情報画像を画像表示装置１０に表示させるための制御信号を出力する。
【００１８】
描画処理手段２２は、例えばグラフィックコントローラや描画ＬＳＩ（大規模集積回路）からなり、制御部２１から出力される前記制御信号に基づいて画像記憶手段２３に記憶されている情報画像データや掃引画像データ（後述）を選択し、選択されたこれら画像データを用いて画像表示装置１０に後述する情報画像や掃引画像を表示させる。
【００１９】
画像記憶手段２３は、例えばグラフィックメモリからなり、画像表示装置１０に表示するための情報画像データ１０１ｄ〜１０６ｄや掃引画像データ１１１ｄを記憶している。
【００２０】
情報画像データ１０１ｄ〜１０６ｄは、前記車速情報、前記エンジン回転数情報、前記燃料残量情報、前記エンジン冷却水温情報、前記走行距離情報、前記状態検出情報の各々の演算処理結果に基づいて選択され、対応する第１〜第６の情報画像１０１〜１０６を形成するのに用いられる。
【００２１】
ここで第１〜第６の情報画像１０１〜１０６のうち、第１，第２の情報画像１０１，１０２は、例えば目盛板上で回転する指針にて計測量（車速、エンジン回転数）を指示する指針式の実体計器を模した画像であり、第１，第２の情報画像１０１，１０２が左右に並ぶ構成である。
【００２２】
第３の情報画像１０３は、第１の情報画像１０１内の下方に位置し、エンジン冷水の温度をバーグラフ形式にて示す画像である。
【００２３】
第４の情報画像１０４は第２の情報画像１０２内の下方に位置し、燃料タンク内の燃料残量をバーグラフ形式にて示す画像である。なお画像表示装置１０の画面背景は例えば黒色であり、第１〜第４の情報画像１０１〜１０４の表示色は例えば白、赤、青、黄等の明色系に設定されている。
【００２４】
第５の情報画像１０５は、例えば車両の走行距離をデジタル表示する画像であり、第１，第２の情報画像１０１，１０２の中間下方に表示される。
【００２５】
第６の情報画像１０６は、例えば車両の状態検出情報（具体例は後述）に基づいて乗員に注意を促したり（警報）、あるいは所定状態にあることを知らせる（報知）ための警報報知画像である。
【００２６】
この第６の情報画像１０６（情報画像データ１０６ｄ）は、警報や報知の種別に応じて複数用意され、本実施形態では後述する警報・報知条件の成立により画像表示装置１０の画面に表示されると共に後述する移動条件の成立により所定方向に移動する。そしてこの移動時に掃引画像１１１に置き換わる所定の情報画像となるものである。
【００２７】
第６の情報画像１０６は、図１３に示すように、赤色の表示色を有する第１のグループＧ１に属するものと、アンバー色の表示色を有する第２のグループＧ２に属するものと、青色の表示色を有する第３のグループＧ３に属するものとで三種類に分類されていると共に、第６のインジケータ画像１０６を形成する第６の情報画像データ１０６ｄは、表示色に応じて異なる画像記憶手段２３の記憶エリアに格納されている。
【００２８】
同様に掃引画像１１１は、第１のグループＧ１に対応した赤色の掃引画像１１１Ｒと、第２のグループＧ２に対応したアンバー色の掃引画像１１１Ａと、第３のグループＧ３に対応した青色の掃引画像１１１Ｂとでなり、色ごとに異なる掃引画像データ１１１ｄとして画像記憶手段２３に記憶されている。
【００２９】
具体例をあげると、第６の情報画像１０６のうち、第１のグループ（赤色）Ｇ１に属する前記警報報知画像としては、例えばシートベルト警告マークやブレーキ警告マーク、エアバッグ警告マークが挙げられ、第２のグループ（アンバー色）Ｇ２に属する前記警報報知画像としては、例えばＡＢＳ警告マークやエンジンチェック警告マークが挙げられ、第３のグループ（青色）Ｇ３に属する前記警報報知画像としては、例えばハイビーム警告マークが挙げられる。
【００３０】
これら警報報知画像は、端子２１ａを通じて制御手段２０に入力する状態検出情報に基づいて警報報知条件が成立したと判定された場合に表示されると共に、移動条件の成立により各警報報知画像の色に対応する色を有する掃引画像１１１に置き換わり所定方向に移動する。
【００３１】
次に図３〜図１２に基づいて、シートベルト警告マークからなる警報報知画像を例に具体例を説明する。
【００３２】
例えばエンジン稼働中で車両が停車状態にあり、画像表示装置１０に第１〜第５の情報画像１０１〜１０６が表示されていたとする（図３）。
【００３３】
この状態から車両が発進すると制御部２１に走行速度に見合った車速情報が入力し、その車速情報に基づく第１の情報画像１０１が表示される（図４）。このように車速が所定値を越えているにもかかわらず、乗員のシートベルト非締結を示す状態検出情報が入力した場合、制御手段２０は、警報報知条件が成立したと判定し、画像表示装置１０の画面略中央に（第１，第２の情報画像１０１，１０２間に）赤色のシートベルト警告マークからなる第６の情報画像１０６を表示させる（図４）。なおこの際、ブザーやスピーカ等を発音素子を駆動して警報音を発生させてもよい。
【００３４】
第６の情報画像１０６を表示させてから所定時間が経過しても依然として警報報知条件が継続している場合、制御手段２０は、移動条件が成立したものと判定し、第６の情報画像１０６を図４の位置から（図５〜図１１までのステップを経て）図１２の位置まで動画として移動させる。
【００３５】
移動開始直後は、図５に示すように第６の情報画像１０６と、第６の情報画像１０６の左側の輪郭をぼかすような掃引画像１１１とが表示される。
【００３６】
この掃引画像１１１は、画面背景の色である黒に対して色または輝度コントラストが移動方向に従って変化するものであり、その基本色は第６の情報画像１０６と同じ赤色で、第６の情報画像１０６に近いほど赤色の濃度が濃く、第６の情報画像１０６から図中左方向に遠ざかる程、徐々に赤色濃度が薄くなる（従って黒色が濃くなる）グラデーションを伴った画像である。そして図６へと進むに従って影のように左側に向けて帯状に延び、図７では第６の情報画像１０６が消え、掃引画像１１１のみが表示される（この時点で第６の情報画像１０６が掃引画像１１１に完全に置き換わる）。このとき掃引画像１１１は中央部の赤色が最も濃く、移動方向先頭及び後方に向かうに従って赤色が薄くなるグラデーションを帯びている。また掃引画像１１１の形状は、移動方向後方側から移動方向先頭側に進むに従って幅狭が徐々に狭くなる形状を有しており、当該形状は図６から図１０（図１１）に至るまで維持される。
【００３７】
図８，図９では、掃引画像１１１は第１の情報画像１０１の右側を横切るように移動し、図１０では掃引画像１１１の移動方向先頭側に再び第６の情報画像１０６が現れ、図１１を経て図１２の位置にて移動が終了する。図８〜図１１に進む過程で掃引画像１１１は徐々に短くなり、図１２で消える。
【００３８】
なおこの移動終了状態から所定時間経過しても警報条件が維持されている場合は、第６の情報画像１０６を掃引画像１１１付きで画面中央に移動させてもよく、警報条件が解除されるまで情報画像１０６の移動を掃引画像１１１付きで行うこともできる。
【００３９】
また本実施形態では、第６の情報画像１０６が第１のグループに属するシートベルト警告マークからなる警報報知画像からなる場合を説明したが、第１のグループに属する他の警報報知画像でも同様である。
【００４０】
また第６の情報画像１０６が第２のグループに属する場合は、第６の情報画像１０６と掃引画像１１１の双方がアンバー色となり、第６の情報画像１０６が第３のグループに属する場合は、第６の情報画像１０６と掃引画像１１１の双方が青色となる。一方、第６の情報画像１０６の形状は、種類によって意匠形状は異なるが、掃引画像１１１は形状及び形態が同じであり、色のみが第１〜第３のグループ単位で異なる。
【００４１】
以上のように本実施形態では、画像表示装置１０と、この画像表示装置１０に車両からの入力情報に基づいて複数の情報画像１０１〜１０６を表示させる制御手段２０とを備え、制御手段２０は画像表示装置１０の画面背景上に表示されている情報画像１０１〜１０６のうち所定の情報画像１０６を所定方向に移動する動画として表示させる際に、所定の情報画像１０６を、色／輝度コントラストが移動方向に従って変化する掃引画像１１１に置き換えて表示する。
【００４２】
この際、図５，図６に示すように移動開始時には、掃引画像１１１に移動方向先頭側の色が薄く移動方向後方側の色が濃いグラデーションを持たせ、図１０，図１１に示すように移動終了時には掃引画像１１１に移動方向先頭側の色が濃く移動方向後方側の色が薄いグラデーションを持たせ、図７〜図９の移動中は掃引画像１１１に中央部の赤色が最も濃く、移動方向先頭及び後方に向かうに従って徐々に赤色が薄くなるグラデーションを持たせることにより、掃引画像１１１の色／輝度コントラストにて特定画像の移動や移動方向を表現できるので、シンプルで認識しやすくデザイン性も高い表示を行うことができる。
【００４３】
また本実施形態は、所定の情報画像である第６の情報画像１０６が前記入力情報に応じて異なる表示形態を有する複数の情報画像データ１０６ｄとして、掃引画像１１１が異なる表示形態（本実施形態では色）を有する複数の掃引画像データ１１１ｄ（１１１Ｒ，１１１Ａ，１１１Ｂ）として、それぞれ画像記憶手段２３に記憶され、制御手段２０は第１のグループＧ１〜第３のグループＧ３にグループ分けされた情報画像データ１０６ｄ群の中から前記入力情報に応じて表示すべき情報画像データ１０６ｄを選択して画像表示装置１０に表示させると共に、選択表示された情報画像データ１０６ｄを所定方向に移動する動画として表示させる際に、複数の掃引画像データ１１１ｄ（１１１Ｒ，１１１Ａ，１１１Ｂ）の中からグループＧ１〜Ｇ３毎に割り当てられた掃引画像データ１１１ｄ（１１１Ｒ，１１１Ａ，１１１Ｂ）を選択し、画像表示装置１０に表示させることにより、情報画像１０６が異なる複数の情報画像データ１０６ｄからなる場合は、これら情報画像（データ）１０６をグループ化すると共に各グループＧ１〜Ｇ３に応じて異なる掃引画像１１１Ｒ，１１１Ａ，１１１Ｂを割り当てることにより、同グループＧ１〜Ｇ３に属する情報画像データを移動させる場合には、そのグループＧ１〜Ｇ３に割り当てられた共通の掃引画像１１１Ｒ，１１１Ａ，１１１Ｂを表示させ、異なるグループＧ１〜Ｇ３に属する情報画像データ１０６ｄを移動させる場合には、グループＧ１〜Ｇ３単位で異なるように割り当てられた掃引画像１１１Ｒ，１１１Ａ，１１１Ｂを表示させることができ、これにより画像記憶手段２０に記憶させておく掃引画像データ１１１ｄの種類を削減することができる。
【００４４】
また本実施形態では、複数の情報画像データ１０６ｄが色に応じてグループ化され、掃引画像１１１はグループＧ１〜Ｇ３に応じて色が異なることにより、情報画像データ１０６ｄと掃引画像１１１とを色にて関連付けることができ、情報画像１０６の移動を分かりやすく示すことができる。
【００４５】
なお情報画像データｄ１０６のグループ化の基準やこのグループ単位で割り当てる掃引画像１１１の表示形態パターン（共通化パターン）は任意に定めることができる。
【００４６】
＜第２の実施形態＞
次に図１４〜図２１に基づいて本発明の第２の実施形態を説明する。  
前記第１の実施形態では、所定の情報画像として第６の情報画像１０６を移動させたが、第２の実施形態では、第６の情報画像１０６に加えて、第１の情報画像１０１と第２の情報画像１０２を移動させる例を示している。なお第１の情報画像１０１と第２の情報画像１０２は、所定の情報画像として車載搭載レーダーにより検出される先行車追尾情報からなる第７の情報画像１０７を表示させる際に移動する。
【００４７】
図１４は走行前、図１５は走行中の表示画面であり、表示内容は前記第１の実施形態と同じである。
【００４８】
図１５の走行中に運転者の操作により先行車追尾システムが起動すると、制御手段２０は移動条件が成立したものと判断し、先行車追尾情報１０７を表示させるべく画面レイアウトを変更する処理を開始し、まず、第１の情報画像１０１の左側と第２の情報画像１０２の右側のそれぞれに掃引画像１１１を表示させる。
【００４９】
この掃引画像１１１は、画面背景の色である黒に対して色または輝度コントラストが移動方向（図中左右方向）に従って変化するものであり、その基本色は第１，第２の情報画像１０１，１０２（の外輪色）と同じシルバー色で、第１，第２の情報画像１０１，１０２に近い移動方向後方側ほどシルバー色の濃度が濃く、第１，第２の情報画像１０１，１０２から遠ざかる移動方向先頭側ほど、徐々にシルバー色の濃度が薄くなる（従って黒色が濃くなる）グラデーションを伴った画像である。
【００５０】
この状態から次の図１６に進むと、第１，第２の情報画像１０１，１０２と掃引画像１１１の画面背景に対するコントラストを（図１５に比べて）一旦弱く変化させ、次の図１７に進むと、第１，第２の情報画像１０１，１０２を消去し、掃引画像１１１のみを表示させる。
【００５１】
このときの掃引画像１１１は、移動方向先頭側ほどシルバー色の濃度が濃く、移動方向後方側ほどシルバー色の濃度が低いグラデーションを伴った画像であり、図１５にて表示される掃引画像よりも左右方向の大きさが大きくなっている。
【００５２】
つづく図１８では、掃引画像１１１がさらに外側に移動し、図１９では移動により空いたスペースに第１，第２の情報画像１０１，１０２と先行車追尾情報１０７とが表示されると共に掃引画像１１１の幅及び高さが図１８の場合よりも縮小して表示される。
【００５３】
図１９から図２１にかけてのステップでは、画面背景に対する第１，第２の情報画像１０１，１０２と先行車追尾情報１０７のコントラストを徐々に高く変化させ、図２１にて第１，第２の情報画像１０１，１０２の移動処理と先行車追尾情報１０７の表示処理を終了させる。
【００５４】
なお情報画像１０６が異なる複数の情報画像データ１０６ｄからなり、これら情報画像（データ）１０６をグループ化すると共に各グループＧ１〜Ｇ３に応じて異なる掃引画像１１１Ｒ，１１１Ａ，１１１Ｂを割り当てる点は、前記第１の実施形態と同じであり、本実施形態では情報画像のグループとして、共に指針式計器画像でなる第１，第２の情報画像１０１，１０２が追加され、これら指針式計器画像のグループにシルバー色を基調とする掃引画像１１１を割り当てたものである。
【００５５】
以上のごとく構成される第２の実施形態によっても前記第１の実施形態と同様の効果を期待できる。
【００５６】
＜第３の実施形態＞
次に図２２〜図２９に基づいて本発明の第３の実施形態を説明する。
本実施形態による車両用表示装置は、指針と表示板とでなる指針式の実体計器３，４間に前記第１，第２の実施形態で用いたものと同じ画像表示装置１０が設けられ、この画像表示装置１０と実体計器３，４との間は例えば合成樹脂からなるパネル体５に覆われており、このパネル体５の画像表示装置１０に隣接する箇所には、発光式表示器（他の表示器）６が設けられている。
【００５７】
発光式表示器６は、パネル体５への印刷により形成された複数種の警告マーク６１ａ〜６１ｇと、これら警告マーク６１ａ〜６１ｇの背後に設けられた図示しない光源と、これら光源と各警告マーク６１ａ〜６１ｇを仕切る図示しないケースとを備えている。この場合、各警告マーク６１ａ〜６１ｇは情報画像１０６に関連しており、警告マーク６１ａ〜６１ｇは警告マークのみ、情報画像１０６は対応する警告マークと詳細情報（例えば文字情報）である。
【００５８】
例えば制御手段２０が前記状態検出情報としてエンジンチェック警告からなる情報を入力した場合、制御手段２０は警報報知条件が成立したと判定し、図２２に示すように画像表示装置１０にエンジンチェック警告マークからなる情報画像１０６とそれにかかわる文字情報を表示する。
【００５９】
この状態から所定時間経過しても依然として警報報知条件が継続している場合、図２３〜図２９に示すように、情報画像１０６を発光式表示器６の対応する（エンジンチェック警告マークからなる情報画像１０６と同じ意味の）警告マーク６１ａ側に移動させる移動処理を実行する。
【００６０】
図２３〜図２９の移動過程における掃引画像１１１は、前記第１の実施形態と同様であるが、図２９の移動終了時には情報画像１０６は表示されず、替わりに警告マーク６１ａが発光する。
【００６１】
なおエンジンチェック警告マークとは別の情報画像１０６の場合も同様であり、対応する警告マーク６１ｂ〜６１ｇ側に移動し、情報画像１０６の替わりに警告マーク６１ｂ〜６１ｇが発光する。
【００６２】
また本実施形態でも情報画像１０６とその関連情報である警告マーク６１ａ〜６１ｇを、色を基準としてグループ化し、各グループに対応した色の掃引画像１１１を表示するようにしている。
【００６３】
また図２９の移動終了から所定時間経過しても依然として警報報知条件が継続している場合は、情報画像１０６を例えば元の位置に移動するようにして注意喚起を促してもよい。
【符号の説明】
【００６４】
３，４  実体計器
５  パネル体
６  発光式表示器（他の表示器）
１０  画像表示装置
２０  制御手段
２１  制御部
２２  描画処理手段
２３  画像記憶手段
２１ａ  端子
６１ａ〜６１ｇ  警告マーク
１０１ｄ〜１０６ｄ  第１〜第６の情報画像データ
１１１ｄ  掃引画像データ
１０１〜１０６  第１〜第６の情報画像
１１１Ｒ  掃引画像
１１１Ａ  掃引画像
１１１Ｂ  掃引画像
Ｇ１  第１のグループ
Ｇ２  第２のグループ
Ｇ３  第３のグループ
【図１】
2012001029.tif 000003
【図２】
2012001029.tif 000004
【図３】
2012001029.tif 000005
【図４】
2012001029.tif 000006
【図５】
2012001029.tif 000007
【図６】
2012001029.tif 000008
【図７】
2012001029.tif 000009
【図８】
2012001029.tif 000010
【図９】
2012001029.tif 000011
【図１０】
2012001029.tif 000012
【図１１】
2012001029.tif 000013
【図１２】
2012001029.tif 000014
【図１３】
2012001029.tif 000015
【図１４】
2012001029.tif 000016
【図１５】
2012001029.tif 000017
【図１６】
2012001029.tif 000018
【図１７】
2012001029.tif 000019
【図１８】
2012001029.tif 000020
【図１９】
2012001029.tif 000021
【図２０】
2012001029.tif 000022
【図２１】
2012001029.tif 000023
【図２２】
2012001029.tif 000024
【図２３】
2012001029.tif 000025
【図２４】
2012001029.tif 000026
【図２５】
2012001029.tif 000027
【図２６】
2012001029.tif 000028
【図２７】
2012001029.tif 000029
【図２８】
2012001029.tif 000030
【図２９】
2012001029.tif 000031